(57)【要約】【課題】点検作業時における流路の切り替えを高精度かつ効果的に行う。【解決手段】消火用水の流路を流入口から消火活動時に使用する第１の流路または点検装置に接続する第２の流路へ切り替える切替弁を有し、前記切替弁は、前記第１の流路に前記消火用水を通水する第１の位置と、前記第２の流路に前記消火用水を通水する第２の位置と、の間を移動する弁蓋と、前記弁蓋を前記第１の位置に押圧する押圧部材と、前記弁蓋を収納する弁箱と、前記弁蓋と一体に構成され、前記弁蓋より前記第２の流路の方向へ前記弁箱から突出して配置される弁移動部材と、を有し、前記点検装置が接続された場合、前記点検装置の流路の中心に設けられたピンが前記弁移動部材を押圧することにより、前記弁蓋を前記第２の位置へ押圧するようにしたこと、を特徴とする、道路用消火栓が提供される。【選択図】図５
2020080998.tif 000002
【特許請求の範囲】
【請求項１】
消火用水の流路を流入口から消火活動時に使用する第１の流路または点検装置に接続する第２の流路へ切り替える切替弁を有し、
前記切替弁は、
前記第１の流路に前記消火用水を通水する第１の位置と、前記第２の流路に前記消火用水を通水する第２の位置と、の間を移動する弁蓋と、
前記弁蓋を前記第１の位置に押圧する押圧部材と、
前記弁蓋を収納する弁箱と、
前記弁蓋と一体に構成され、前記弁蓋より前記第２の流路の方向へ前記弁箱から突出して配置される弁移動部材と、を有し、
前記点検装置が接続された場合、
前記点検装置の流路の中心に設けられたピンが前記弁移動部材を押圧することにより、前記弁蓋を前記第２の位置へ押圧するようにしたこと、
を特徴とする、道路用消火栓。
【請求項２】
前記弁移動部材の内側には、前記弁箱に固定された移動軸が配置され、
前記弁蓋は、前記移動軸に沿って前記第１の位置と前記第２の位置とを移動する、
請求項１に記載の道路用消火栓。
【請求項３】
前記弁移動部材の内側には、前記押圧部材が配置され、
前記点検装置の接続が解除された場合、
前記点検装置により押圧されていた前記押圧部材が解放されることにより、前記弁蓋が前記第１の位置へ復帰する、
請求項２に記載の道路用消火栓。
【発明の詳細な説明】
【技術分野】
【０００１】
本発明は、道路用消火栓に関する。
【背景技術】
【０００２】
近年、火災から人身や車両を守るための消火栓装置が普及している。また、上記のような消火栓装置の安全性、利便性を向上させるための手法が多く提案されている。
【０００３】
例えば、消火栓装置では、定期または非定期に、水圧や水量などが規定を満たしているか否かの点検作業が実施される。この際、予め接続されている消火ホースとは別途の点検装置を接続し、当該点検装置側へ流路を切り替えることにより、水圧や水量の測定が行われる。また、上記のような点検作業の実施を効率化するための手法も多く提案されている。
【０００４】
例えば、特許文献１や特許文献２には、ホースを接続することにより、弁が上下方向に移動して通水方向を点検装置側に切り替える技術が記載されている。また、特許文献３〜特許文献５には、点検装置のコネクタを挿入することにより通水方向を点検装置側に切り替える技術が記載されている。
【先行技術文献】
【特許文献】
【０００５】
【特許文献１】特開２００２−３６４７６５号公報
【特許文献２】特開２０１２−２９９６８号公報
【特許文献３】特開２００３−３８６７６号公報
【特許文献４】特開２０１１−５６１０８号公報
【特許文献５】特開２００２−１２６１１９号公報
【発明の概要】
【発明が解決しようとする課題】
【０００６】
しかし、流路の切り替えに弁を用いる特許文献１や特許文献２に記載される技術では、切り替え動作時に弁が軌道から外れないように、弁箱内壁の形状に正確に合わせた弁を組み込むことが求められ、弁および弁箱の形成を精密に行う必要がある。また、上記のような弁を採用する構造では、点検作業後に流路が消火ホース側へ復帰したか否かを目視確認する際、点検口内部を深く覗き込む必要がある。
【０００７】
そこで、本発明は、上記問題に鑑みてなされたものであり、本発明の目的とするところは、点検作業時における流路の切り替えを高精度かつ効果的に行うが可能な、新規かつ改良された道路用消火栓を提供することにある。
【課題を解決するための手段】
【０００８】
上記課題を解決するために、本発明のある観点によれば、消火用水の流路を流入口から消火活動時に使用する第１の流路または点検装置に接続する第２の流路へ切り替える切替弁を有し、上記切替弁は、上記第１の流路に上記消火用水を通水する第１の位置と、上記第２の流路に上記消火用水を通水する第２の位置と、の間を移動する弁蓋と、上記弁蓋を上記第１の位置に押圧する押圧部材と、上記弁蓋を収納する弁箱と、上記弁蓋と一体に構成され、上記弁蓋より上記第２の流路の方向へ上記弁箱から突出して配置される弁移動部材と、を有し、上記点検装置が接続された場合、上記点検装置の流路の中心に設けられたピンが上記弁移動部材を押圧することにより、上記弁蓋を上記第２の位置へ押圧するようにしたこと、を特徴とする、道路用消火栓が提供される。
【０００９】
また、上記弁移動部材の内側には、上記弁箱に固定された移動軸が配置され、上記弁蓋は、上記移動軸に沿って上記第１の位置と上記第２の位置とを移動してもよい。
【００１０】
また、上記弁移動部材の内側には、上記押圧部材が配置され、上記点検装置の接続が解除された場合、上記点検装置により押圧されていた上記押圧部材が解放されることにより、上記弁蓋が上記第１の位置へ復帰してもよい。
【発明の効果】
【００１１】
以上説明したように本発明によれば、点検作業時における流路の切り替えを高精度かつ効果的に行うが可能となる。
【図面の簡単な説明】
【００１２】
【図１】本発明の一実施形態に係る消火栓の配置例について説明するための図である。
【図２】同実施形態に係る消火栓の構造の一例を示す図である。
【図３】同実施形態に係る切替弁の構造について説明するための図である。
【図４】同実施形態に係る点検装置が接続されていない場合の切替弁の構造を示す図である。
【図５】同実施形態に係る第２の流路への通水の切り替え時における切替弁の構造を示す図である。
【図６】同実施形態に係る第２の流路への通水の切り替え時における切替弁の構造を示す図である。
【図７】同実施形態に係る第２の流路への通水の切り替え時における切替弁の構造を示す図である。
【発明を実施するための形態】
【００１３】
以下に添付図面を参照しながら、本発明の好適な実施の形態について詳細に説明する。なお、本明細書および図面において、実質的に同一の機能構成を有する構成要素については、同一の符号を付することにより重複説明を省略する。
【００１４】
＜１．実施形態＞
＜＜１．１．消火栓１０の概要＞＞
まず、本発明の一実施形態に係る消火栓１０の概要について説明する。本実施形態に係る消火栓１０は、例えば、トンネル内に設置される道路用消火栓であってもよい。図１は、本実施形態に係る消火栓１０の配置例について説明するための図である。
【００１５】
図１には、トンネル内に設置される消火栓１０および防護柵７０が示されている。図１に示すように、消火栓１０は、道路ｒｗの路肩に設けられる監視員通路ｐｗの脇に、トンネル内壁ｉｗに埋め込まれるように配置されてもよい。ここで、監視員通路ｐｗは、一般的に道路ｒｗから９００〜１０００ｍｍほどの高さを以って設けられる通路であり、監視員による保守作業や災害時の避難経路として用いられる。消火栓１０は、トンネル内において、例えば、５０ｍ程度の間隔を以って複数設置される。
【００１６】
次に、本実施形態に係る消火栓１０の構造について概要を説明する。図２は、本実施形態に係る消火栓１０の構造の一例を示す図である。図２に示すように、本実施形態に係る消火栓１０の内部には、消火器９０の他、給水栓などを含む配管部７１０や、配管部７１０に接続され巻回収納されたホース７２０、ホース７２０の先端に装着されたノズル７３０などが配置される。
【００１７】
消火活動を行う際、操作者は、ノズル７３０を取り出した後、配管部７１０に配置される消火栓レバーを開方向に操作する。この際、消火栓レバーおよび消火栓弁に接続される消火栓弁開閉用ワイヤーにより、消火栓弁が開き、消火用水の供給が開始される。
【００１８】
また、上述したように、消火栓１０では、定期または非定期に水圧や水量が規定を満たしている否かの点検作業が実施される。この際、予め備えられているホース７２０を筐体から引き出し、ノズル７３０の先端部に水圧や水量に係る測定機器を装着した後に放水を行い、水圧や水量の測定を行うことも可能である。
【００１９】
しかし、上記のような点検手法では、点検作業後にホース７２０の洗浄や水抜き、筐体内への再収納を行う必要がある。上記の作業には、通常２名以上の作業員の確保が求められ、またトンネル内に複数設置される消火栓１０のすべてに上記点検作業を実施するには多大な負荷が掛かる。
【００２０】
このため、近年においては、配管部７１０において、ホース７２０側とは分岐させた点検作業用の点検管を設け、切替弁２０により火活動時と点検作業時とで流路の切り替えを行うことで、点検作業を効率化する方式も採用されている。
【００２１】
しかし、ここで、流路の切り替えに特許文献１や特許文献２に記載されるような弁構造を採用する場合、弁移動時における弁の軌道ずれを防止するために、弁箱内壁の形状に合致するように弁を精密に形成し、弁箱内に組み込む必要がある。
【００２２】
また、上記のような弁構造では、点検作業後におけるホース７２０側への流路の復帰を目視確認する際、点検口を深く覗き込む必要があるうえ、明るさが乏しいトンネル内において弁の復帰を直観的に把握することが困難である。なお、強制的に弁が復帰位置に戻るまで点検装置が外れない構成を採用することで、目視代替することも可能であるが、この場合、弁側と点検装置側の両者に上記を実現する機構を追加する必要がある。
【００２３】
さらには、上記のような機構を採用する場合、通常、点検装置を弁箱内に押し込むために点検装置の先端を延長し露出させていることから、外部との接触や衝撃を受けやすいという問題点がある。
【００２４】
本発明の技術思想は、上記の点に着目して発想されたものであり、点検作業時における流路の切り替えを高精度かつ効果的に実現するものである。以下、上記を実現するための消火栓１０の構造について詳細に説明する。
【００２５】
＜＜１．２．切替弁２０の構造＞＞
図３は、本実施形態に係る切替弁２０の構造について説明するための図である。上述したように、本実施形態に係る消火栓１０は、消火用水の流路を流入口から消火活動時に使用する第１の流路または点検装置３０に接続する第２の流路へ切り替える切替弁２０を備える。
【００２６】
また、本実施形態に係る切替弁２０は、第１の流路に消火用水を通水する第１の位置と第２の流路に消火用水を通水する第２の位置との間を移動する弁蓋２１０、弁蓋２１０と一体に構成され第２の流路の方向へ突出して配置されるスプリングカバー２２０（弁移動部材、とも称する）、スプリングカバー２２０の内部に配置されるスプリング２３０およびスプリング軸２４０（移動軸、とも称する）、部材組付金具２５０、および弁箱２６０を備える。また、本実施形態に係る切替弁２０は、差込式結合金具４０を介して点検装置３０と接続される。
【００２７】
図４は、点検装置３０が接続されていない場合の切替弁２０の構造を示す図である。この際、本実施形態に係る弁蓋２１０は、流水口ＩＥから、消火活動時に使用する第１の流路Ｗ１に消火用水を通水する第１の位置に、スプリング２３０などの押圧部材などにより押圧されることで、固定される。
【００２８】
本実施形態に係るスプリング２３０は、弁箱２６０に固定されたスプリング軸２４０の外周を覆うように配置され、弁蓋２１０と一体に構成されるスプリングカバー２２０の内部上面を部材組付金具２５０に押圧することで、弁蓋２１０を第１の位置に固定することができる。なお、本実施形態に係る部材組付金具２５０は、弁蓋２１０やスプリングカバー２２０などを弁箱２６０に組付けるための構成であってよい。
【００２９】
また、点検装置３０が接続されていない場合、すなわち本実施形態に係る弁蓋２１０が第１の位置にある場合、スプリングカバー２２０の上端は、スプリング２３０の押圧により、差込式結合金具４０の内部において、差込式結合金具４０の上端と略一致するように弁箱２６０から突出して配置される。
【００３０】
次に、本実施形態に係る第２の流路Ｗ２への通水の切り替えについて詳細に説明する。図５〜図７は、本実施形態に係る第２の流路Ｗ２への通水の切り替え時における切替弁２０の構造を示す図である。
【００３１】
図５には、第２の流路Ｗ２への通水の切り替えに際し、点検装置３０の流路の中心に設けられるピン３４がスプリングカバー２２０の上端に接触した状態の切替弁２０の構造が示されている。図５に示すように、本実施形態に係るピン３４の先端は、例えば、凹形状を有し、スプリングカバー２２０上端の凹形状と合致するように形成される。
【００３２】
図６には、第２の流路Ｗ２への通水の切り替えに際し、弁蓋２１０が第１の位置から第２の位置への移動する状態が示されている。図６に示すように、本実施形態に係る第２の流路Ｗ２への通水の切り替えにおいては、点検装置３０のピン３４によりスプリングカバー２２０が押圧されることにより、スプリングカバー２２０と一体に形成された弁蓋２１０が、移動することとなる。
【００３３】
上記のような構成によれば、弁蓋２１０が弁箱２６０に固定されたスプリング軸２４０に沿ってぶれなく第１の位置から第２の位置へ移動することができ、流路の切り替えを精度高く実現することが可能となる。さらには、上記のような構成によれば、従来のように、弁移動時における弁の軌道ずれを防止するために、弁箱内壁の形状に合致するように弁を精密に形成し、弁箱内に組み込む必要がなくなることから、切替弁の作製や組み込みに掛かるコストを大幅に削減することが可能となる。
【００３４】
また、図７には、点検装置３０の接続が完了し、第２の流路Ｗ２への切り替えが行われた状態の切替弁２０の構造が示されている。本実施形態に係る切替弁２０では、点検装置３０を下方向に２０ｍｍ程度押し込んだ際、スプリングカバー２２０と一体に構成された弁蓋２１０が第２の位置に固定され、第１の流路Ｗ１から第２の流路Ｗ２への切り替えが完了する。なお、この際、点検装置３０は、内側に形成されたツメにより、差込式結合金具４０の外周に形成された凹部と結合することで、切替弁２０に固定される。
【００３５】
次に、本実施形態に係る第２の流路Ｗ２から第１の流路Ｗ１への切り替えについて説明する。図７に示すように、点検装置３０が切替弁２０に接続されている場合、スプリング２３０は、スプリングカバー２２０の内部において圧縮された状態となる。
【００３６】
ここで、点検装置３０が切替弁２０から外された場合、圧縮されたスプリング２３０が解放され、スプリング軸２４０に沿って延長することで、スプリングカバー２２０を押し上げることにより、スプリングカバー２２０と一体に構成されたおよび弁蓋２１０が、図５に示すように、第１の位置に復帰する。
【００３７】
このように、本実施形態に係る切替弁２０では、スプリングカバー２２０の内側にスプリング軸２４０およびスプリング２３０を配置することで、容易な構成により精度高く第１の位置および第２の位置の切り替えを実現することができる。また、上記の構成によれば、第２の流路Ｗ２の方向へ突出させたスプリングカバー２２０の内部空間をスプリング２３０の伸縮に活用することで、スプリング２３０の伸縮効率を向上させ、弁蓋２１０の第１の位置への復帰時において、スプリングカバー２２０を押し上げる力を確保することが可能となる。また、上記の構造によれば、スプリング２３０を収納するスプリングカバー２２０の内部空間の長さを任意に設定することができ、スプリング２３０の伸縮幅の適応範囲を拡大することが可能となる。
【００３８】
また、図５に示すように、弁蓋２１０が第１の位置へと復帰した際、スプリングカバー２２０の上端は、差込式結合金具４０の内部において、差込式結合金具４０の上端と略一致するように形成されてよい。
【００３９】
上記の構成によれば、点検作業の完了後に、弁蓋２１０が第１の位置に復帰していること、すなわちホース７２０と接続する第１の流路Ｗ１への復帰が正しく行われていることを、内部を深く覗き込むことなく用意に目視で確認することが可能となる。また、上記の構成によれば、スプリングカバー２２０を指などで触れることで、第１の流路Ｗ１への復帰を確認することができ、明るさが乏しいトンネル内部においても、確実に復帰確認を行うことが可能である。
【００４０】
さらには、スプリングカバー２２０を第２の流路Ｗ２側へ突出させることにより、点検装置３０側のピン３４を過度に突出させることなくコンパクトにすることができ、ピン３４を奥深く弁箱２６０内に押し込まずとも、第２の流路Ｗ２への切り替えを容易に実施することが可能となる。また、上記の構成によれば、点検装置３０のピン３４がスプリングカバー２２０以外と接触する可能性を低減し、破損などを防止することができる。
【００４１】
＜２．まとめ＞
以上説明したように、本発明の一実施形態に係る消火栓１０は、消火用水の流路を消火活動時に使用する第１の流路Ｗ１または点検装置３０に接続する第２の流路Ｗ２へ切り替える切替弁２０を有する。
【００４２】
また、本発明の一実施形態に係る切替弁２０は、第１の流路Ｗ１に消火用水を通水する第１の位置と第２の流路Ｗ２に消火用水を通水する第２の位置との間を移動する弁蓋２１０と、弁蓋２１０を第１の位置に押圧するスプリング２３０と、弁蓋２１０を収納する弁箱２６０と、弁蓋２１０と一体に構成され、弁蓋２１０より第２の流路Ｗ２の方向へ弁箱２６０から突出して配置されるスプリングカバー２２０を有する。
【００４３】
また、本発明の一実施形態に係る切替弁２０は、点検装置３０が接続された場合、点検装置３０の流路の中心に設けられたピン３４がスプリングカバー２２０を押圧することにより、弁蓋２１０を第２の位置へ押圧するようにしたこと、を特徴の一つとする。
【００４４】
上記の構成によれば、点検作業時における流路の切り替えを高精度かつ効果的に行うが可能となる。
【００４５】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００４６】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【符号の説明】
【００４７】
１０      消火栓
２０      切替弁
２１０    弁蓋
２２０    スプリングカバー
２３０    スプリング
２４０    スプリング軸
２６０    弁箱
３０      点検装置
３４      ピン
【図１】
2020080998.tif 000003
【図２】
2020080998.tif 000004
【図３】
2020080998.tif 000005
【図４】
2020080998.tif 000006
【図５】
2020080998.tif 000007
【図６】
2020080998.tif 000008
【図７】
2020080998.tif 000009